(57)【特許請求の範囲】
【請求項１】
レール上に転動自在な戸車を介して懸吊支持され常時閉止方向に走行性が付与せしめられた自閉式引き戸において該引き戸付近で該引き戸と離間した位置に該引き戸あるいは該引き戸に設けられた補助板を直接押圧することによって任意位置で走行を停止させるためのユニット化された引き戸押圧手段が設けられ、該引き戸押圧手段に煙感知器や火災報知器等の非常警報装置から発せられる警報信号により自動的に押圧を解除させる自動式押圧解除手段と手動で引き戸をスライドさせることにより押圧を解除させる手動式押圧解除手段とが備えられていることを特徴とする自閉式引き戸の停止装置
【発明の詳細な説明】
【０００１】
【産業上の利用分野】
本発明は任意位置で引き戸停止ができ、通常時、非常時ともに引き戸停止解除ができる自閉式引き戸の停止装置に関するものである。
【０００２】
【従来の技術】
戸の上端吊持部に装着した吊り車がレール上を転動して開口部を自動閉止する自閉式引き戸において、この引き戸を任意の位置で途中停止させるようにしたフリーストッパとしては実開平５−４２５５６号公報、特開平６−２９４２４９号公報、特開平９−２１２６２号公報、特開平９−２２８７３１号公報、特許第２９３７８２８号公報などが挙げられる。
【０００３】
実開平５−４２５５６公報は任意の走行途中位置で引き戸の上框面あるいは下框面から制動部材を弾圧出没させて開き戸停止を行なわせ、戸をスライドさせることによって制動部材を引っ込めて引き戸走行させる構造であり、特開平９−２１２６２号公報のものは弾性カムをレールもしくは補助レールに押圧停止させる機構であり、特開平６−２９４２４９号公報、特開平９−２２８７３１号公報は揺動される弾性回転体が車輪と圧縮用定置部材との間に噛み込んで車輪ストップさせるものである。
【０００４】
【発明が解決しようとする課題】
これらはいずれも手動式で途中停止させるもので、引き戸自身にフリーストッパ装置が取り付けられたものであるが、火災や煙被害発生等の非常の場合にもそこに人がいなければ閉じることが出来ないといった不都合がある。このため特許第２９３７８２８号公報に開示されたように、引き戸に弾性ストッパ片を備えたストッパを配備せしめ、そのストッパを煙感知器、火災報知器などの非常警報装置からの信号によってストップ解除させる方式のものが提案されてきた。
【０００５】
しかしながらこの特許第２９３７８２８号公報の装置も引き戸側にフリーストッパが設けられ、そのストッパに煙感知器、火災報知器などの非常警報装置からの信号によって引き戸をストップ解除させる退避手段（ソレノイドの通電）が設けられてなるため有線の場合は電線を引きずって移動しなくてはならないとか大掛りな移動用通電装置を取付せねばならないという問題があるし、無線の場合にはその分装備が複雑になり、経費が掛かるという問題点がある。本発明はこれらの不都合や問題点を解決することを目的として提供されたものである。
【０００６】
【課題を解決するための手段】
本発明はフリーストッパ装置を引き戸側に設置するのではなく、引き戸付近で引き戸と少し離間した位置に引き戸を押さえつけて走行停止させる方式のフリーストッパ装置を設けることによってかかる問題点を解決した。
【０００７】
即ち本発明は、レール上に転動自在な戸車を介して懸吊支持され常時閉止方向に走行性が付与せしめられた自閉式引き戸において該引き戸付近で該引き戸と離間した位置に該引き戸あるいは該引き戸に設けられた補助板を直接押圧することによって任意位置で走行を停止させるためのユニット化された引き戸押圧手段が設けられ、該引き戸押圧手段に煙感知器や火災報知器等の非常警報装置から発せられる警報信号により自動的に押圧を解除させる自動式押圧解除手段と手動で引き戸をスライドさせることにより押圧を解除させる手動式押圧解除手段とが備えられていることを特徴とする自閉式引き戸の停止装置である。また、引き戸は自閉式であれば自閉方法にいかなる手段を用いても構わない。
【０００８】
またこの自閉引き戸の停止装置の押圧手段と押圧解除手段とは別々に構成させて連動させても良いし１体化させてもよい。また本発明の停止装置は引き戸付近で引き戸と離間した位置なら何処に設置してもよいが、自閉時の引き戸前方側上部の引き残し部上部付近に設けることが好ましく、引き戸を任意位置で停止させる場合の任意停止幅が最も大きく取れる最適位置となり、最も邪魔にならない位置となる。
【０００９】
【作用】
本発明の自閉引き戸停止装置は引き戸付近で離間した位置に設置されているため通常時は引き戸とは接触していないので引き戸を手動開放し手を離せば自走して閉止する。
【００１０】
次に、引き戸を自閉途中あるいは開放途中の任意位置で停止させたい場合には手動で本発明の停止装置を操作することになる。この停止操作を行なうと本停止装置内の押圧手段により引き戸が押圧されてその位置で走行停止されることになる。本押圧手段には自動・手動の押圧解除手段が設けられてなり、手動で引き戸をスライドすることで押圧解除手段が動作して押圧手段がはずれ、引き戸は自閉走行し始めて閉止することになる。また非常時の場合は非常警報装置から発せられる警報信号で押圧解除手段により押圧手段がはずれ、引き戸は自閉走行し始めて閉止する。
【００１１】
【実施例】
以下図面に基づいて本発明の実施例を説明すると図１は本発明の実施の第１形態を示す停止装置１を取付けた状態を示す正面図、図２は本発明の停止装置の実施形態の一つを示す説明図であり、図３〜図６は図２の装置を全開時の引き戸移動前方側付近に取付ブラケット２０を介して設けた時の取付事例１〜４の縦断面説明図であり、図３は図２の装置を引き戸の裏面側側面上部の引き残し部付近に設けたもの、図４〜図６は引き戸２の正面側側面上部の引き残し部付近に設けたもので図３、図４は引き戸２を直接押圧する方式、図５・図６は引き戸２を補助板３を介して間接的に押圧する方式のものである。補助板３は等辺あるいは不等辺の山形鋼を引き戸幅の長さにカットしたもので、図５は引き戸自身の上部に取付けたもの、図６は前後の戸車取付ブラケットに取付けたものである。
【００１２】
まず引き戸押圧停止装置１の構成を説明すると、図２において停止装置１は先端にワンウェイベアリング（図示せず）を開き方向に空転するように構成して内蔵させた押圧ローラ４を備え、後端には圧縮コイルスプリング５を備えて先端部押圧力を調整可能に構成された圧接部６が形成され、この圧接部６は一端に固定軸１９内を自在に動く長穴を有し、他端をロック用レバー７とリンク機構で結ばれた圧接部取付レバー８に取付けられ、圧接部取付レバー８にはまたロック用レバー７のロックが外れた時、圧接部６が引き戸の押圧面から確実に離間させるための引っ張りコイルスプリング９が設けられてなる。
【００１３】
ロック用レバー７は２枚の板で圧接部取付レバー８を挟み、互いに揺動可能にしてピンで連結され、２枚板の一方端は固定軸１０に回転可能に軸支された１枚板の１方端とピンで連結され、このピン部にはロック方向に付勢されたキックバネ（図示せず）が圧接されてあり、この２枚板と１枚板とで構成されるロック用レバー７が１直線になった時にロック用レバーストッパ１８に当接してロックするよう構成されている。
【００１４】
また、固定軸１０にはソレノイド１１の移動軸先端とピンで連結され、ソレノイド１１が作動すると固定軸１０を軸に回転してロック用レバー７がロック解除するように構成された自動ロック解除レバー１２が設けられている。
【００１５】
一方圧接部６の後方側にはＬ型の手動操作レバー１３が直角部を固定軸１４を軸中心に回動自在に設けられ、片方端に案内ローラ１５を介して停止装置１の外部から操作ひも１６が連繋され、他方端には圧接部６が備えられた圧接部取付レバー８を後方から押し出す押出具１７が取り付けられてなる。またソレノイド１１は煙感知器や火災報知器等の非常警報装置（図示せず）と連動されており、非常時に非常警報装置から発せられる警報信号によりソレノイド１１が作動するよう構成されてなる。
【００１６】
この自閉引き戸の停止装置１の取付位置は引き戸２を全開にした際、引き戸の自閉時前方側端部近傍に設けることが望ましく、取付け要領は図３〜図６に示す如くあり、設置要望条件によって適宜選択すればよい。
【００１７】
押圧手段は操作ひも１６、Ｌ型の手動操作レバー１３、固定軸１４、押出具１７、圧接部取付レバー８、圧接部６、固定軸１９、固定軸１０、ロック用レバー７、ロック用レバーストッパ１８等で構成され、押圧解除手段は自動の場合はソレノイド１１、自動ロック解除レバー１２、引っ張りコイルスプリング９などの構成が主体となって押圧手段の圧接部６を引き戸２から離間させ、手動の場合は圧接部６、圧接部６を構成する押圧ローラ４内のワンウェイベアリング（図示せず）、固定軸１９、固定軸１０、ロック用レバー７、ロック用レバーストッパ１８、圧接部取付レバー８、引っ張りコイルスプリング９などの構成が主体となってそれぞれ連携連動して押圧された接触部６を引き戸２から離間させる。
【００１８】
次に動作を説明すると、自閉引き戸を開放あるいは自閉途中の任意位置で停止させるには停止させたい任意位置で操作ひも１６を引っ張れば良い。操作ひも１６が引かれると案内ローラ１５を介して手動操作レバー１３が固定軸１４を軸に回動して押出具１７により圧接部取付レバー８が開き戸方向に押し出され、引っ張りコイルスプリング９は伸ばされ、圧接部６も押し出されて先端の押圧ローラ４は図３〜図６に示すように引き戸２または補助具３に接触する。
【００１９】
押圧ローラ４が引き戸２または補助具３に接触しても圧接部取付レバー８の一方端に連結されたロック用レバー７はまだ一直線には達せず、更に圧接部取付レバー８は押し出され、その間引き戸２または押圧補助具３に接触した押圧ローラ４は圧縮コイルスプリング５の弾性力によって押圧されることになる。ロック用レバー７はロック用レバーストッパ１８に当接して初めて一直線となり、圧接部取付レバー８がロックされ、同時に圧接部６のロックが完成して引き戸２は停止することになる。この時、ソレノイド１１の移動軸先端とピン連結された自動ロック解除レバー１２もロック用レバー７によりセット位置にスタンバイされることになる。
【００２０】
今度は任意位置に停止した引き戸を手動により停止解除する動作を説明すると、引き戸を開き方向にスライドさせると押圧された押圧ローラ４は空転して戸は開かれた状態で停止状態を維持することになる。次に引き戸を閉じ方向にスライドさせると押圧された押圧ローラ４は回転をロックされたままの状態となり引き戸と共にスライドし、圧接部取付レバー８も閉じ方向にスライドする。すると圧接部取付レバー８とロック用レバー７との連結ピン部も閉じ方向にスライドするため、ロック用レバーストッパ１７に当接したリンク部が折れ曲がる。
【００２１】
一旦折れ曲がると今度は圧接部取付レバー８に設けられた引っ張りコイルスプリング９の復元力により圧接部取付レバー８が元に戻るため、圧接部６もまた元の位置に戻って引き戸から離間するため自閉引き戸は動き出して自閉することになる。
【００２２】
次に自動解除動作を説明すると、煙感知器や火災報知器等の非常警報装置（図示せず）が作動すると、非常警報装置から発せられる警報信号によりソレノイド１１が作動してソレノイドの移動軸先端は引っ込む。そのため、ロック解除レバー１２が引っ張られて固定軸１０を軸にロック解除レバー１２の先端が回転してロック用レバー７をロック解除方向に動かして折れ曲がらせる。ロック用レバー７が一旦折れ曲がると今度は引っ張りコイルスプリング９の復元力により圧接部取付レバー８が元に戻るため、圧接部６もまた元の位置に戻って引き戸から離間するため、自閉引き戸は動き出して自閉することになる。
【００２３】
この実施例においてはソレノイド１１で警報信号を受信作動させロック解除レバー１２を用いてロック用レバー７のロックを解除したが、ソレノイド１１とロック解除レバー１２の代わりにモータと偏心カムを用いてロック用レバー７のロックを解除させても良く、同様の結果が得られる。
【００２４】
図７は本発明の実施の第２の形態を示す停止装置１である。この実施例２は実施例１が引き戸の閉じ方向スライドのみ手動押圧解除されたのに対し開閉両方向とも引き戸をスライドさせれば押圧手段が解除されるように構成されたものである。構成の説明に関して実施例１と重複するものは同じ番号を用いる。
【００２５】
実施例２は圧接部取付レバー８のロック用レバー７側の端部に操作ひも１６が取付けられ、案内ローラ１５を介して停止装置１の外に取り出されている。圧接部６とロック用レバー７、圧接部取付レバー８、引っ張りコイルスプリング９の取付状況は実施例１と同じくするが、押圧ローラ４に代わり接触部が左右対称の円弧を描き、円中心を軸に首振りするように半円ローラ２１が設けられ、半円ローラ２１の円弧両端部から押込みレバー２２、２２が首振り可能に設けられている。
【００２６】
一方、固定軸１０にはロック用レバー７とは別に固定軸１０を軸中心に左回転すればロック用レバーを引っかけてロックを解除させるロック解除盤２３が設けられ、更に固定軸２４を軸中心に自在に回動する解除レバー２５が一方端に長穴を有してロック解除盤２３とピン連結されている。押込みレバー２２、２２の先端部はそれぞれ解除レバー２５を挟み込むように構成されてなり、押込みレバー２２、２２が解除レバー２５の一定幅しか移動出来ないように規制ピン２６、２６が設けられている。また押込みレバー２２、２２を押込んだ際、解除レバー２５を押し込んで解除盤２３を回動させ易くするため押込みレバー２２には押込みピン２７が設けられている。
【００２７】
更にこの実施例には実施例１のロック用レバーストッパ１８の代わりにロック用レバー７が１直線になった際、レバーストップさせる位置に偏心カム２８の短かい距離側が来るように、軸に偏心カム２８を取付けしたモータ２９が配置されてなる。
【００２８】
自閉引き戸は押圧停止されても閉じようとし、押圧部の半円ローラ２１は半円形状であるため引き戸の閉じ方向に力が加わって回動しようとするため、その対策として押圧部の回動モーメントとバランスをとるために解除レバー２５の解除盤２３側にバランス用引っ張りスプリング３０が設けられてなる。
【００２９】
次に動作を説明すると、自閉引き戸を開放あるいは自閉途中の任意位置で停止させるには停止させたい任意位置で操作ひも１６を引っ張れば良い。
操作ひも１６が引かれると案内ローラ１５を介して圧接部取付レバー８が開き戸方向に引き出され、引っ張りコイルスプリング９は伸ばされ、圧接部６も引き出されて先端の半円ローラ２１は図７に示すように引き戸２に接触する。
【００３０】
半円ローラ２１が引き戸２に接触しても圧接部取付レバー８の一方端に連結されたロック用レバー７はまだ一直線には達せず、更に圧接部取付レバー８は引き出され、その間引き戸２に接触した半円ローラ２１は圧縮コイルスプリング５の弾性力によって押圧されることになる。ロック用レバー７は偏心カム２８に当接して初めて一直線となり、圧接部取付レバー８がロックされ、同時に圧接部６のロックが完成して引き戸２は停止することになる。この時、自閉引き戸は押圧停止されても閉じようとし、押圧部は半円形状であるため引き戸の閉じ方向に力が加わって回動しようとしその方向の押込みレバー２２が解除レバー２５を押込もうとするがバランス用引っ張りスプリング３０のためバランスされて半円ローラ２１は左右対称位置の対称面で押圧停止する。
【００３１】
今度は任意位置に停止した引き戸を手動により停止解除する動作を説明すると、引き戸を開閉いずれか１方向に手動スライドさせると半円ローラ２１の押圧バランスはくずれて首を振ることになる。押込みレバー２２の先端部はそれぞれ解除レバー２５を挟み込むように構成されてなるため一方は押込みピン２７が解除レバー２５から離れ、もう一方は押込みピン２７が解除レバー２５を押し込み、ピン連結された解除盤２３を回動させてロック用レバー７は偏心カム２８に当接したリンク部が折れ曲がる。
【００３２】
一旦折れ曲がると今度は圧接部取付レバー８に設けられた引っ張りコイルスプリング９の復元力により圧接部取付レバー８が元に戻るため、圧接部６もまた元の位置に戻って引き戸２から離間するため自閉引き戸２は動き出して自閉することになる。
【００３３】
次に自動解除動作を説明すると、煙感知器や火災報知器等の非常警報装置（図示せず）が作動すると、非常警報装置から発せられる警報信号によりモータ２９が回転して軸に取付けられた偏心カム２８によりロック用レバー７はリンク部が折れ曲がる。ロック用レバー７が一旦折れ曲がると今度は引っ張りコイルスプリング９の復元力により圧接部取付レバー８が元に戻るため、圧接部６もまた元の位置に戻って引き戸２から離間するため、自閉引き戸２は動き出して自閉することになる。
【００３４】
【発明の効果】
本発明の自閉式引き戸の停止装置は押圧手段を手動操作することにより引き戸を任意の位置で停止させることが出来、引き戸の停止解除は手動・自動の両方で操作が可能であり、通常時には戸をスライドさせるだけで自閉し、非常時には煙感知器や火災報知器等の非常警報装置と連動して自閉するため安全性が高い。また本発明の引き戸停止装置は移動する引き戸自身にではなく引き戸近傍の固定された位置に設けられるため電気的な装置も無理なく配線でき経費も安価で済む。
【図面の簡単な説明】
【図１】本発明の装置を取付けた状態を示す事例２の場合の正面図
【図２】引き戸停止装置の説明図
【図３】引き戸停止装置の引き戸付近への取付事例１の縦断面図
【図４】引き戸停止装置の引き戸付近への取付事例２の縦断面図
【図５】引き戸停止装置の引き戸付近への取付事例３の縦断面図
【図６】引き戸停止装置の引き戸付近への取付事例４の縦断面図
【図７】別の引き戸停止装置の説明図
【符号の説明】
１：停止装置
２：引き戸
３：補助板
４：押圧ローラ
６：圧接部
７：ロック用レバー
８：圧接部取付レバー
１０、１４、１９、２４：固定軸
１１：ソレノイド
１２：ロック解除レバー
１５：案内ローラ
１６：操作ひも
１７：押出具
１８：ロック用レバーストッパ
２１：半円ローラ
２２：押込みレバー
２３：ロック解除盤
２５：解除レバー
２７：押込みピン
２８：偏心カム
２９：モータ
【図１】
0003834711.tif 000002
【図２】
0003834711.tif 000003
【図３】
0003834711.tif 000004
【図４】
0003834711.tif 000005
【図５】
0003834711.tif 000006
【図６】
0003834711.tif 000007
【図７】
0003834711.tif 000008